(57)【要約】【課題】各部門で個別に収集した問診情報の使い勝手を損なうことなく、各部門で収集した問診情報を各部門のスタッフ間で共有できるようにして、収集した問診情報を十分に活用できるようにする。【解決手段】問診票の各質問に対する対象者の回答に関する問診情報を、部門が異なる複数のスタッフ間で共有させる問診情報共有システムであり、情報共有サーバ１が、対象者ごとの問診情報を管理し、ユーザ端末２が、情報共有サーバとネットワークを介して接続されて、問診票の各質問に対する回答の入力および入力済みの問診票の表示を行い、情報共有サーバ１は、問診情報を、すべての部門で共通に用いられる共通問診票と部門ごとに個別に用いられる個別問診票とに分割して管理する。【選択図】図３
2020087173.tif 000002
【特許請求の範囲】
【請求項１】
問診票の各質問に対する対象者の回答に関する問診情報を、部門が異なる複数のスタッフ間で共有させる問診情報共有システムであって、
対象者ごとの前記問診情報を管理するサーバ装置と、
このサーバ装置とネットワークを介して接続されて、前記問診票の各質問に対する回答の入力および入力済みの前記問診票の表示を行う端末装置と、を備え、
前記サーバ装置は、
前記問診情報を、すべての部門で共通に用いられる共通問診票と部門ごとに個別に用いられる個別問診票とに分割して管理することを特徴とする問診情報共有システム。
【請求項２】
前記サーバ装置は、
前記問診情報を時系列で管理し、
前記共通問診票に関する複数の時点の前記問診情報が存在する場合には、最新の前記問診情報を前記端末装置に表示することを特徴とする請求項１に記載の問診情報共有システム。
【請求項３】
前記サーバ装置は、
前記共通問診票の最新の入力時点から所定期間内である場合には、前記共通問診票の入力を省略して前記個別問診票の入力に進めるスキップ動作を行うことを特徴とする請求項１に記載の問診情報共有システム。
【請求項４】
前記サーバ装置は、
前記スキップ動作を指示する操作部を前記端末装置に表示することを特徴とする請求項３に記載の問診情報共有システム。
【請求項５】
前記サーバ装置は、
前記問診票の入力が、前回とは異なる部門で行われる場合には、前記スキップ動作を行わないことを特徴とする請求項３に記載の問診情報共有システム。
【請求項６】
前記サーバ装置は、
管理者の編集操作に応じて、前記問診票のフォーマットを設定することを特徴とする請求項１に記載の問診情報共有システム。
【請求項７】
前記サーバ装置は、
管理者の編集操作に応じて、前記問診票の各質問に対する回答に応じたアラートの出力条件を設定し、
前記問診票を表示する際に、前記出力条件に基づいて前記アラートを前記端末装置に出力することを特徴とする請求項１に記載の問診情報共有システム。
【請求項８】
前記サーバ装置は、
管理者の編集操作に応じて、前記問診票に付加する人体図を設定し、
前記問診票の入力および表示を行う際に、前記人体図を前記端末装置に表示することを特徴とする請求項１に記載の問診情報共有システム。
【請求項９】
問診票の各質問に対する対象者の回答に関する問診情報を、部門が異なる複数のスタッフ間で共有させる問診情報共有方法であって、
サーバ装置が、
対象者ごとの前記問診情報を管理し、
端末装置が、
前記サーバ装置とネットワークを介して接続されて、前記問診票の各質問に対する回答の入力および入力済みの前記問診票の表示を行い、
前記サーバ装置は、
前記問診情報を、すべての部門で共通に用いられる共通問診票と部門ごとに個別に用いられる個別問診票とに分割して管理することを特徴とする問診情報共有方法。
【発明の詳細な説明】
【技術分野】
【０００１】
本発明は、問診票の各質問に対する対象者の回答に関する問診情報を、部門が異なる複数のスタッフ間で共有させる問診情報共有システム及び問診情報共有方法に関するものである。
【背景技術】
【０００２】
医療分野では、診察や検査に先だって、対象者に症状や生活習慣などを聞き取る問診が行われている。この問診は、問診票の用紙を対象者に渡して記入させることが一般的であるが、問診票を電子化してタブレット端末などを用いて対象者に回答を入力させるようにすると、問診票の各質問に対する対象者の回答に関する問診情報の管理が容易になる。
【０００３】
このような問診票の電子化に関する技術として、従来、対象者の症状などの状況に応じて質問内容を設定したり、対象者が初診である場合と経過観察である場合とで質問内容を変えたりする技術が知られている（特許文献１参照）。
【先行技術文献】
【特許文献】
【０００４】
【特許文献１】特開２００３−１８６９９５号公報
【発明の概要】
【発明が解決しようとする課題】
【０００５】
さて、複数の診療科を有する総合病院では、対象者は、総合受付で基本的な質問事項の問診票に記入した後、症状に応じて適切な専門科で診察を受ける場合があり、このとき、専門科での診察に先だって、専門科で独自に作成した問診票に記入する。また、対象者が、前回と異なる症状で来院した場合には、別の専門科で診察を受けるため、その専門科の問診票に記入する。このように、対象者は、総合受付や各専門科で問診票に記入するが、この問診票は総合受付や専門科で個別に管理され、別の診療科のスタッフが容易に閲覧できないことから、問診情報を十分に活用できないという問題があった。また、総合受付や専門科の各問診票では質問内容が重複する場合もあるため、対象者が煩わしく感じる問題もあった。
【０００６】
このような問題は、各部門で収集した問診情報を情報共有サーバに登録して、各部門のスタッフ間で問診情報を共有できるようにすると、解決することができる。しかしながら、前記従来の技術では、対象者に適した問診を行うことができるに過ぎず、複数の部門間で問診情報を共有することに関しては、何の考慮もなされておらず、前記のような問題を解決できない。
【０００７】
そこで、本発明は、各部門で個別に収集した問診情報の使い勝手を損なうことなく、各部門で収集した問診情報を各部門のスタッフ間で共有できるようにして、収集した問診情報を十分に活用することができる問診情報表示システム及び問診情報表示方法を提供することを主な目的とする。
【課題を解決するための手段】
【０００８】
本発明の問診情報表示システムは、問診票の各質問に対する対象者の回答に関する問診情報を、部門が異なる複数のスタッフ間で共有させる問診情報共有システムであって、対象者ごとの前記問診情報を管理するサーバ装置と、このサーバ装置とネットワークを介して接続されて、前記問診票の各質問に対する回答の入力および入力済みの前記問診票の表示を行う端末装置と、を備え、前記サーバ装置は、前記問診情報を、すべての部門で共通に用いられる共通問診票と部門ごとに個別に用いられる個別問診票とに分割して管理する構成とする。
【０００９】
また、本発明の問診情報表示方法は、問診票の各質問に対する対象者の回答に関する問診情報を、部門が異なる複数のスタッフ間で共有させる問診情報共有方法であって、サーバ装置が、対象者ごとの前記問診情報を管理し、端末装置が、前記サーバ装置とネットワークを介して接続されて、前記問診票の各質問に対する回答の入力および入力済みの前記問診票の表示を行い、前記サーバ装置は、前記問診情報を、すべての部門で共通に用いられる共通問診票と部門ごとに個別に用いられる個別問診票とに分割して管理する構成とする。
【発明の効果】
【００１０】
本発明によれば、端末装置とネットワークを介して接続されたサーバ装置において、問診情報を共通問診票と個別問診票とに分割して管理する。このため、各部門で個別に収集した問診情報の使い勝手を損なうことなく、各部門で個別に収集した問診情報を各部門のスタッフ間で共有できるようになるため、収集した問診情報を十分に活用することができる。
【図面の簡単な説明】
【００１１】
【図１】本実施形態に係る問診情報共有システムの全体構成図
【図２】情報共有サーバ１、ユーザ端末２および管理者端末３の概略構成を示すブロック図
【図３】情報共有サーバ１における問診票情報の管理状況を示す説明図
【図４】ユーザ端末２で問診票を入力する際に表示される画面の遷移状況を示す説明図
【図５】ユーザ端末２で問診票を入力する際に表示される画面を示す説明図
【図６】ユーザ端末２で問診票を入力する際に表示される画面を示す説明図
【図７】ユーザ端末２で問診票を入力する際に表示される画面を示す説明図
【図８】ユーザ端末２で問診票を入力する際に表示される画面を示す説明図
【図９】ユーザ端末２で問診票を閲覧する際に表示される画面の遷移状況を示す説明図
【図１０】ユーザ端末２で問診票を閲覧する際に表示される画面を示す説明図
【図１１】ユーザ端末２で問診票を閲覧する際に表示される画面を示す説明図
【図１２】管理者端末３で問診票を編集する際に表示される画面の遷移状況を示す説明図
【図１３】管理者端末３で問診票を編集する際に表示される画面を示す説明図
【図１４】管理者端末３で問診票を編集する際に表示される画面を示す説明図
【図１５】管理者端末３で問診票を編集する際に表示される画面を示す説明図
【図１６】管理者端末３で問診票を編集する際に表示される画面を示す説明図
【図１７】管理者端末３で問診票を編集する際に表示される画面を示す説明図
【図１８】管理者端末３で問診票を編集する際に表示される画面を示す説明図
【図１９】管理者端末３で問診票を編集する際に表示される画面を示す説明図
【図２０】管理者端末３で問診票の人体図を編集する際に表示される画面の遷移状況を示す説明図
【図２１】管理者端末３で人体図を編集する際に表示される画面を示す説明図
【図２２】管理者端末３で人体図を編集する際に表示される画面を示す説明図
【図２３】管理者端末３で人体図を編集する際に表示される画面を示す説明図
【発明を実施するための形態】
【００１２】
前記課題を解決するためになされた第１の発明は、問診票の各質問に対する対象者の回答に関する問診情報を、部門が異なる複数のスタッフ間で共有させる問診情報共有システムであって、対象者ごとの前記問診情報を管理するサーバ装置と、このサーバ装置とネットワークを介して接続されて、前記問診票の各質問に対する回答の入力および入力済みの前記問診票の表示を行う端末装置と、を備え、前記サーバ装置は、前記問診情報を、すべての部門で共通に用いられる共通問診票と部門ごとに個別に用いられる個別問診票とに分割して管理する構成とする。
【００１３】
これによると、端末装置とネットワークを介して接続されたサーバ装置において、問診情報を共通問診票と個別問診票とに分割して管理する。このため、各部門で個別に収集した問診情報の使い勝手を損なうことなく、各部門で個別に収集した問診情報を各部門のスタッフ間で共有できるようになるため、収集した問診情報を十分に活用することができる。
【００１４】
また、第２の発明は、前記サーバ装置は、前記問診情報を時系列で管理し、前記共通問診票に関する複数の時点の前記問診情報が存在する場合には、最新の前記問診情報を前記端末装置に表示する構成とする。
【００１５】
これによると、各部門のスタッフが端末装置で共通問診票の最新の入力内容を閲覧することができる。
【００１６】
また、第３の発明は、前記サーバ装置は、前記共通問診票の最新の入力時点から所定期間内である場合には、前記共通問診票の入力を省略して前記個別問診票の入力に進めるスキップ動作を行う構成とする。
【００１７】
これによると、問診票の入力内容と対象者の現在の状況との間に大きな相違がある可能性が低い場合に、共通問診票の入力を省略するため、回答者やスタッフの使い勝手が向上する。
【００１８】
また、第４の発明は、前記サーバ装置は、前記スキップ動作を指示する操作部を前記端末装置に表示する構成とする。
【００１９】
これによると、スタッフの判断で共通問診票の入力を省略することができるため、回答者やスタッフの使い勝手が向上する。
【００２０】
また、第５の発明は、前記サーバ装置は、前記問診票の入力が、前回とは異なる部門で行われる場合には、前記スキップ動作を行わない構成とする。
【００２１】
これによると、問診票の入力が、前回とは異なる部門で行われる場合には、対象者に症状などの変化が現れていることから、共通問診票に新規な内容が入力される可能性があるため、スキップ動作を行わないようにすることで、共通問診票の入力内容を適切に更新することができる。
【００２２】
また、第６の発明は、前記サーバ装置は、管理者の編集操作に応じて、前記問診票のフォーマットを設定する構成とする。
【００２３】
これによると、問診票のフォーマットを適宜に変更することができるため、回答者やスタッフの使い勝手が向上する。
【００２４】
また、第７の発明は、前記サーバ装置は、管理者の編集操作に応じて、前記問診票の各質問に対する回答に応じたアラートの出力条件を設定し、前記問診票を表示する際に、前記出力条件に基づいて前記アラートを前記端末装置に出力する構成とする。
【００２５】
これによると、スタッフが問診票を閲覧する際にアラートが出力されるため、スタッフに対して注意喚起を行うことができる。また、アラートの出力条件を管理者が設定することができるため、適切なタイミングでアラートを出力することができる。
【００２６】
また、第８の発明は、前記サーバ装置は、管理者の編集操作に応じて、前記問診票に付加する人体図を設定し、前記問診票の入力および表示を行う際に、前記人体図を前記端末装置に表示する構成とする。
【００２７】
これによると、問診票の入力および閲覧の際に人体図が表示されるため、詳細な問診情報を対象者から取得してスタッフに提示することができる。
【００２８】
また、第９の発明は、問診票の各質問に対する対象者の回答に関する問診情報を、部門が異なる複数のスタッフ間で共有させる問診情報共有方法であって、サーバ装置が、対象者ごとの前記問診情報を管理し、端末装置が、前記サーバ装置とネットワークを介して接続されて、前記問診票の各質問に対する回答の入力および入力済みの前記問診票の表示を行い、前記サーバ装置は、前記問診情報を、すべての部門で共通に用いられる共通問診票と部門ごとに個別に用いられる個別問診票とに分割して管理する構成とする。
【００２９】
これによると、第１の発明と同様に、各部門で個別に収集した問診情報の使い勝手を損なうことなく、各部門で収集した問診情報を各部門のスタッフ間で共有できるようにして、収集した問診情報を十分に活用することができる。
【００３０】
以下、本発明の実施の形態を、図面を参照しながら説明する。
【００３１】
図１は、本実施形態に係る問診情報共有システムの全体構成図である。
【００３２】
この問診情報共有システムは、病院において、問診票の各質問に対する対象者（来院者）の回答に関する問診情報を、複数の部門（総合受付、内科、外科など）のスタッフ同士で共有するものであり、情報共有サーバ１（サーバ装置）と、ユーザ端末２（端末装置）と、管理者端末３（端末装置）と、を備えている。
【００３３】
情報共有サーバ１、ユーザ端末２、および管理者端末３は、院内ネットワークを介して相互に接続されている。
【００３４】
情報共有サーバ１は、ユーザ端末２を用いて入力された問診情報をユーザ端末２から収集して管理する。この情報共有サーバ１は、問診情報を入力用のユーザ端末２から収集すると共に問診情報を閲覧用のユーザ端末２に提供するＷｅｂサーバ５（ウェブサーバ）と、問診情報の管理に必要な処理を行うＡＰＩサーバ６（アプリケーションサーバ）と、問診情報および各種の設定情報を蓄積するＤＢサーバ７（データベースサーバ）と、を備えている。
【００３５】
ユーザ端末２は、スタッフ（医師や看護師など）や対象者（来院者）が操作するものである。このユーザ端末２は、タブレット端末やＰＣで構成され、問診票の各質問に対する回答の入力および入力済みの問診票の表示に用いられる。
【００３６】
特に入力用のユーザ端末２は、タブレット端末とするとよい。この場合、まず、病院のスタッフがユーザ端末２を操作して、ログインおよび対象者の登録の操作を行って問診票入力画面をユーザ端末２に表示させた上で、ユーザ端末２を対象者に渡し、対象者が入力操作を行う。また、対象者がタブレット端末をうまく操作できない場合には、病院のスタッフが聞き取りで入力するようにしてもよい。なお、ユーザ端末２が、タブレット端末である場合には、無線ルータを介して院内ネットワークに接続される。
【００３７】
管理者端末３は、職長などの管理者が操作するものである。この管理者端末３は、ＰＣで構成され、問診票のフォーマットなどを設定する問診票の編集（カスタマイズ）に用いられる。
【００３８】
なお、ユーザ端末２および管理者端末３は、その情報処理装置としての構成に相違があるものではなく、一般ユーザとしてシステムにログインする場合にはユーザ端末２となり、管理者権限でシステムにログインする場合には管理者端末３となる。
【００３９】
また、本実施形態では、病院において複数の部門のスタッフ間で問診情報を共有するシステムについて説明したが、システムが適用される施設は、病院に限定されるものではなく、検診や介護や福祉など係る施設であってよい。
【００４０】
次に、情報共有サーバ１、ユーザ端末２および管理者端末３の概略構成について説明する。図２は、情報共有サーバ１、ユーザ端末２および管理者端末３の概略構成を示すブロック図である。
【００４１】
情報共有サーバ１は、Ｗｅｂサーバ５と、ＡＰＩサーバ６と、ＤＢサーバ７と、を備えている。
【００４２】
Ｗｅｂサーバ５は、第１の通信部５１と、第２の通信部５２と、制御部５３と、を備えている。第１の通信部５１は、院内ネットワークを介してユーザ端末２および管理者端末３と通信を行う。第２の通信部５２は、ＡＰＩサーバ６と通信を行う。制御部５３は、ユーザ端末２および管理者端末３からの要求に応じて、ＡＰＩサーバ６に所要の処理を依頼し、ＡＰＩサーバ６から取得した情報に基づいて所要の画面を生成して、その画面を第１の通信部５１からユーザ端末２および管理者端末３に配信する。本実施形態では、問診票の入力や閲覧に関する画面をユーザ端末２に配信し、問診票の編集に関する画面を管理者端末３に配信する。
【００４３】
ＡＰＩサーバ６は、第１の通信部６１と、第２の通信部６２と、制御部６３と、を備えている。第１の通信部６１は、Ｗｅｂサーバ５と通信を行う。第２の通信部６２は、ＤＢサーバ７と通信を行う。制御部６３は、Ｗｅｂサーバ５からの要求に応じて、ＤＢサーバ７から情報を取得するなどの所要の処理を行う。
【００４４】
ＤＢサーバ７は、通信部７１と、制御部７２と、内部ストレージ７３（記憶部）と、を備えている。通信部７１は、ＡＰＩサーバ６と通信を行う。内部ストレージ７３は、問診票のフォーマット情報や、問診票の回答情報などを記憶する。制御部７２は、ＡＰＩサーバ６からの要求に応じて、内部ストレージ７３に記憶された情報を読み出して、その情報を通信部７１からＡＰＩサーバ６に転送する。また、制御部７２は、ＡＰＩサーバ６から取得した情報を内部ストレージ７３に記憶する。
【００４５】
なお、制御部５３，６３，７２はプロセッサで構成され、この他に、プロセッサのワークエリア等として機能する揮発性メモリであるＲＡＭ（Random Access Memory）と、プロセッサが実行する制御プログラムやデータを格納する不揮発性メモリであるＲＯＭ（Read Only Memory）とが設けられる。
【００４６】
また、Ｗｅｂサーバ５、ＡＰＩサーバ６、およびＤＢサーバ７は、各々を独立した情報処理装置で構成するようにしてもよいが、単一の情報処理装置で構成して、ソフトウェアによりＷｅｂサーバ５、ＡＰＩサーバ６、およびＤＢサーバ７の各機能を実現するようにしてもよい。
【００４７】
ユーザ端末２は、通信部３１と、制御部３２と、表示部３３と、操作部３４と、を備えている。通信部３１は、院内ネットワークを介して情報共有サーバ１と通信を行う。表示部３３は、液晶表示パネルなどの表示デバイスであり、操作部３４は、マウスやキーボードなどの入力デバイスである。なお、ユーザ端末２がタブレット端末で構成される場合には、表示部３３および操作部３４は、表示パネルとタッチパネルとを一体化したタッチパネルディスプレイとなる。制御部３２は、ウェブブラウザを起動させて、情報共有サーバ１のＷｅｂサーバ５から配信される画面を表示部３３に表示させ、また、操作部３４で行われる画面操作に応じた入力情報を、通信部３１からＷｅｂサーバ５に送信する。
【００４８】
管理者端末３は、通信部４１と、制御部４２と、表示部４３と、操作部４４と、を備えている。この管理者端末３の各部は、ユーザ端末２と同様である。
【００４９】
なお、制御部３２，４２はプロセッサで構成され、この他に、プロセッサのワークエリア等として機能する揮発性メモリであるＲＡＭと、プロセッサが実行する制御プログラムやデータを格納する不揮発性メモリであるＲＯＭとが設けられる。
【００５０】
次に、情報共有サーバ１における問診票情報の管理について説明する。図３は、情報共有サーバ１における問診票情報の管理状況を示す説明図である。
【００５１】
情報共有サーバ１では、ユーザ端末２で対象者が問診票に回答する入力操作で取得した問診情報をユーザ端末２から収集して一元管理する。特に本実施形態では、すべての診療科（部門）で共通に用いられる共通問診票と、診療科ごとに個別に用いられる個別問診票とに分割して管理する。これにより、各診療科で個別に収集した問診情報の使い勝手を損なうことなく、各診療科で個別に収集した問診情報を、各診療科のスタッフ間で共有できるようになる。
【００５２】
具体的には、まず、対象者（来院者）が病院に来院すると、総合受付において、ユーザ端末２を用いて問診票（共通問診票）の各質問に回答する入力操作を行い、このとき取得した共通問診票に関する問診情報が情報共有サーバ１に蓄積される。
【００５３】
次に、対象者は、症状に応じた専門科（内科、外科など）で診察を受けるが、このとき、総合受付と同様に、ユーザ端末２を用いて問診票（共通問診票および専門問診票）の各質問に回答する入力操作を行い、このとき取得した共通問診票および専門問診票に関する問診情報が情報共有サーバ１に蓄積される。
【００５４】
情報共有サーバ１に蓄積された問診情報は、各部門のスタッフの間で共有することができる。例えば、内科のユーザ端末２では、共通問診票および内科用の専門問診票の入力および閲覧ができ、また、他の専門科の専門問診票（外科用の専門問診票など）の閲覧ができる。また、外科のユーザ端末２では、共通問診票および外科用の専門問診票の入力および閲覧ができ、また、他の専門科の専門問診票（内科用の専門問診票など）の閲覧ができる。
【００５５】
また、問診票を入力してからある程度の期間が経過すると、問診票の入力内容と対象者の現在の状況との間に大きな相違が現れる場合がある。このため、総合受付や専門科では、適宜なタイミングで問診票の入力をやり直す。情報共有サーバ１では、各時点で入力された問診票の情報を時系列で蓄積して管理し、対象者に関する過去の複数の時点の共通問診票が存在する場合には、専門科において、最新の共通問診票の情報をユーザ端末２に表示する。なお、最新の共通問診票の情報は初期状態として表示し、スタッフの要望に応じて、古い時点の共通問診票の情報を閲覧できるようにしてもよい。
【００５６】
次に、ユーザ端末２で問診票を入力する際に表示される画面について説明する。図４は、ユーザ端末２で問診票を入力する際に表示される画面の遷移状況を示す説明図である。図５、図６、図７、図８は、ユーザ端末２で問診票を入力する際に表示される画面を示す説明図である。
【００５７】
ユーザ端末２では、情報共有サーバ１にアクセスしてログインの操作を行い、ついで対象者（来院者）の登録の操作を行うと、まず、図５（Ａ）に示すように、メインメニュー画面が表示される。
【００５８】
図５（Ａ）に示すメインメニュー画面には、「見る」のボタン１０１と「入力する」のボタン１０２とが設けられている。このメインメニュー画面において、「入力する」のボタン１０２を操作すると、入力モードとなり、図５（Ｂ）に示すように、診療科選択画面に遷移する。
【００５９】
図５（Ｂ）に示す診療科選択画面には、診療科ごとの診療科選択ボタン１１１が設けられている。この診療科選択ボタン１１１を操作して診療科を選択すると、図６（Ａ）に示すように、問診票選択画面に遷移する。
【００６０】
図６（Ａ）に示す問診票選択画面には、問診票ごとの問診票選択ボタン１２１が設けられている。この問診票選択ボタン１２１を操作して問診票を選択すると、図６（Ｂ）に示すように、問診票入力画面に遷移する。
【００６１】
図６（Ｂ）に示す問診票入力画面には、質問表示部１３１と回答入力部１３２とが設けられている。質問表示部１３１には、大項目の質問内容を表す文字と小項目の質問内容を表す文字とが表示される。回答入力部１３２には、ラジオボタンと回答内容を表す文字とが表示され、操作者は、該当する回答内容のラジオボタンを操作することで回答を入力することができる。
【００６２】
また、この問診票入力画面には、「前へ」のボタン１３５と「次へ」のボタン１３６とが設けられている。「次へ」のボタン１３６を操作すると、次の質問事項に関する問診票入力画面に遷移する。すなわち、「次へ」のボタン１３６を操作することで、問診票の各質問を順に表示させることができる。また、「前へ」のボタン１３５を操作すると、前の質問事項に関する問診票入力画面に戻る。
【００６３】
また、図６（Ｂ）に示す問診票入力画面は、共通問診票の最初の質問事項に関するものであり、「専門問診票へ」のボタン１３７（スキップ動作を指示する操作部）が設けられている。この「専門問診票へ」のボタン１３７を操作すると、図７（Ａ）に示すように、専門問診票の最初の質問事項に関する問診票入力画面に遷移する。すなわち、「専門問診票へ」のボタン１３７を操作することで、共通問診票の入力をスキップして専門問診票の入力にジャンプすることができる。
【００６４】
ここで、図４に示すように、問診票には、各診療科で共通に用いられる共通問診票と、各診療科で個別に用いられる専門問診票（個別問診票）とがあり、問診票入力画面において「次へ」のボタン１３６を操作すると、次の質問事項の問診票入力画面に遷移し、質問を１問ずつ表示しながら質問に回答する操作を行うことができる。しかしながら、総合受付で問診票（共通問診票）に入力した後に、専門科で改めて問診票に入力する際に、既に入力した共通問診票の質問を１問ずつ表示させるのは煩わしい。そこで、このような場合に、「専門問診票へ」のボタン１３７を操作すると、共通問診票の問診票入力画面を省略して、専門問診票の問診票入力画面に遷移する。
【００６５】
また、「専門問診票へ」のボタン１３７の表示を、種々の条件に応じて制御するようにしてもよい。例えば、当日が共通問診票の最新の入力日から所定期間（例えば１週間）内である場合に、「専門問診票へ」のボタン１３７を表示して、共通問診票の表示を省略（スキップ）できるようにする。この場合、問診票の入力内容と対象者の現在の状況との間に大きな相違がないため、問診票の入力を改めて行う必要性が低く、共通問診票の表示を省略しても支障はない。一方、当日が共通問診票の入力日から所定期間（例えば１週間）以上経過している場合には、「専門問診票へ」のボタン１３７を表示せず、共通問診票の表示を省略（スキップ）できないようにする。この場合、問診票の入力内容と対象者の現在の状況との間に大きな相違がある場合があるため、問診票の入力を改めて行う必要性が高く、強制的に共通問診票を表示して入力を促す。
【００６６】
また、対象者に別の症状が現れると、対象者は以前とは異なる専門科を受診する。このため、対象者が専門科を受診する前に別の専門科を受診していた場合、すなわち、問診票の入力が前回とは異なる専門科で行われる場合には、対象者に症状の変化が現れていることから、共通問診票に新規な内容が入力される可能性がある。そこで、対象者が専門科を受診する直前に他の専門科を受診していた場合には、当日が共通問診票の最新の入力日から所定期間（例えば１週間）内であるか否かに関係なく、「専門問診票へ」のボタン１３７を表示せず、共通問診票の表示を省略（スキップ）できないようにする。
【００６７】
なお、このように「専門問診票へ」のボタン１３７の表示を、共通問診票の再入力の必要性に応じて制御する他に、共通問診票の再入力の必要性が低い場合、例えば、当日が共通問診票の最新の入力日から所定期間内である場合には、初期状態で共通問診票が表示されないようにしてもよい。
【００６８】
また、問診票入力画面では、予め設定された回答を選択すると、図７（Ｂ）に示すように、人体図入力画面に遷移する。この人体図入力画面は問診票入力画面上にポップアップ表示される。
【００６９】
図７（Ｂ）に示す人体図入力画面には、人体図１４１が表示される。この人体図１４１上には、人体図１４１を説明する文字１４２と、人体図１４１に描画された身体の各部位に対応するチェックボックス１４３とが表示され、このチェックボックス１４３を操作することで、身体の特定の部位を指定することができる。例えば、身体に痛みがあるか否かの質問に対して、身体に痛みがあると回答した場合に人体図１４１が表示され、チェックボックス１４３により身体の中で痛みがある部位を具体的に指定することができる。
【００７０】
また、この人体図入力画面には、「キャンセル」のボタン１４５と「決定」のボタン１４６とが設けられている。ここで、「決定」のボタン１４６を操作すると、入力結果が反映され、問診票入力画面に戻る。
【００７１】
また、問診票入力画面において、「次へ」のボタン１３６を操作して、問診票の質問に対する回答を順次入力すると、図８（Ａ）に示すように、最後の質問事項に関する問診票入力画面に遷移する。
【００７２】
図８（Ａ）に示す最後の質問事項に関する問診票入力画面には、「確認」のボタン１３８が設けられている。この「確認」のボタン１３８を操作すると、図８（Ｂ）に示すように、問診票入力確認画面に遷移する。
【００７３】
図８（Ｂ）に示す問診票入力確認画面には、問診票入力画面で入力した内容が反映された問診票が表示される。この問診票入力確認画面では、問診票の質問１３３および回答１３４が番号順に並べて表示される。また、この問診票入力確認画面には、スクロールバー１４７が設けられており、このスクロールバー１４７を操作することで、問診票の全ての質問に関する回答内容を確認することができる。また、この問診票入力確認画面には、質問を選択するプルダウンメニュー１４８が設けられており、このプルダウンメニュー１４８で質問を選択することで、その質問がジャンプ表示される。また、この問診票入力確認画面には、「登録」のボタン１４９が設けられており、この「登録」のボタン１４９を操作すると、問診票入力確認画面に表示された内容で問診票が登録される。
【００７４】
次に、ユーザ端末２で問診票を閲覧する際に表示される画面について説明する。図９は、ユーザ端末２で問診票を閲覧する際に表示される画面の遷移状況を示す説明図である。図１０、図１１は、ユーザ端末２で問診票を閲覧する際に表示される画面を示す説明図である。
【００７５】
メインメニュー画面（図５参照）において、「見る」のボタン１０１を操作すると、閲覧モード（通常型閲覧モード）となり、図１０（Ａ）に示すように、問診票選択画面に遷移する。
【００７６】
図１０（Ａ）に示す問診票選択画面には、問診票の一覧表１５１が表示される。この一覧表１５１では、対象者に関して過去に登録された全ての問診票の内容が時系列で並べて一覧表示される。具体的には、問診票ごとの入力日時、診療科、および問診票タイトル表示される。ここで、診療科のセルを操作して診療科を選択すると、選択した診療科に関する問診票のみが一覧表示される（フィルタリング）。この問診票選択画面において、問診票のセルを操作して問診票を選択すると、図１０（Ｂ）に示す問診票閲覧画面に遷移する。
【００７７】
図１０（Ｂ）に示す問診票閲覧画面には、入力モードで入力した内容が反映された問診票が表示される。具体的には、問診票の各質問１６１とその回答１６２とが番号順に並べて表示される。また、アラートの出力が設定された回答を対象者が選択した場合には、アラートマーク１６３が表示される。また、この問診票閲覧画面には、スクロールバー１６４が設けられており、このスクロールバー１６４を操作することで、問診票の全ての質問に関する回答内容を閲覧することができる。
【００７８】
また、図１０（Ａ）に示す問診票選択画面には、一覧表１５１の右側に「履歴」のボタン１５２が問診票ごとに設けられている。この「履歴」のボタン１５２を操作すると、図１１（Ａ）に示す履歴一覧表示画面に遷移する。
【００７９】
図１１（Ａ）に示す履歴一覧表示画面には、問診票の各質問に対する回答の推移状況を表す一覧表１７１が表示される。この一覧表１７１には、問診票の質問ごとに、その質問内容と、過去の入力時点ごとの回答内容とが一覧表示される。回答は、新しいものから順に時系列に並べて表示される。この一覧表１７１により、過去の各入力時点の回答内容を比較することで、回答の推移状況を把握することができる。
【００８０】
また、図１０（Ｂ）に示す問診票閲覧画面には、「分岐型表示」のボタン１６５が設けられている。この「分岐型表示」のボタン１６５を操作すると、分岐型閲覧モードとなり、図１１（Ｂ）に示すように、分岐型の問診票閲覧画面に遷移する。
【００８１】
図１１（Ｂ）に示す分岐型の問診票閲覧画面では、質問に対する回答に応じて次の質問を変更する場合に、各質問と、その質問に対する回答に対応する次の質問との関係を表す分岐図１８１が表示される。この分岐図１８１では、各質問がブロック１８２で表示され、各質問のブロック１８２と、その質問に対する回答に対応する次の質問のブロック１８２とが、矢印１８３で結ばれている。また、対象者が選択した回答に対応する質問のブロック１８２および矢印１８３が強調表示される。例えば、ブロック１８２の枠線および矢印１８３が、所定色（例えば赤色）で表示され、また、太線で表示される。また、アラートの出力が設定された回答を対象者が選択した場合には、そのブロック１８２にアラートマーク１６３が表示される。
【００８２】
次に、管理者端末３で問診票を編集する際に表示される画面について説明する。図１２は、管理者端末３で問診票を編集する際に表示される画面の遷移状況を示す説明図である。図１３、図１４、図１５、図１６、図１７、図１８、図１９は、管理者端末３で問診票を編集する際に表示される画面を示す説明図である。
【００８３】
管理者端末３では、情報共有サーバ１にアクセスしてログインの操作を行った上で、図示しないメニュー画面で問診票設定を選択すると、まず、図１３（Ａ）に示すように、編集メニュー画面が表示される。
【００８４】
図１３（Ａ）に示す編集メニュー画面には、「通常型作成」のボタン１９１と「分岐型作成」のボタン１９２とが設けられている。ここで、「通常型作成」のボタン１９１を操作すると、通常型編集モードとなり、図１３（Ｂ）に示すように、問診票編集画面に遷移する。
【００８５】
図１３（Ｂ）に示す問診票編集画面には、最初の大項目設定欄２０１が初期状態（未設定状態）で表示される。この大項目設定欄２０１を操作すると、図１４（Ａ）に示すように、大項目設定欄２０１が編集状態に変化する。この編集状態では、大項目の質問の内容を表す文字を入力することができる。また、編集状態では、大項目設定欄２０１を削除したり、大項目設定欄２０１の順番を入れ替えたりすることができる。大項目設定欄２０１内には小項目設定欄２０２が設けられている。この小項目設定欄２０２を操作すると、図１４（Ｂ）に示すように、質問編集画面に遷移する。この質問編集画面（ダイアログボックス）は問診票編集画面上にポップアップ表示される。
【００８６】
図１４（Ｂ）に示す質問編集画面には、質問入力欄２１１が設けられている。この質問入力欄２１１には、小項目の質問の内容を表す文字を入力することができる。また、質問編集画面には、パーツ選択ボタン２１２と回答事項設定部２１３とが設けられている。パーツ選択ボタン２１２では、テキストラベル、テキストボックス、チェックボックス、ラジオボタンなどのパーツを選択することができる。回答事項設定部２１３には、図１５（Ａ），（Ｂ）に示すように、回答設定欄２２１と表示設定欄２２２とが表示される。回答設定欄２２１には、パーツ選択ボタン２１２で選択したパーツが設定される。表示設定欄２２２では、回答事項の表示位置を設定することができる。
【００８７】
また、この質問編集画面には、「質問」のタグ２１５と「アラート」のタグ２１６とが設けられている。ここで、「アラート」のタグ２１５を操作すると、図１６（Ａ）に示すように、質問編集画面にアラート設定部２３１が表示される。
【００８８】
このアラート設定部２３１には、回答設定欄２３２と表示条件設定欄２３３とアラート表示文字設定欄２３４とが設けられている。回答設定欄２３２には、回答事項設定部２１３（図１５（Ａ），（Ｂ）参照）で設定した内容が表示される。表示条件設定欄２３３には、アラートを表示させる条件（選択時、対象外、入力時など）を設定することができる。この条件の設定により、例えば該当する回答が選択された場合にアラートマークを表示させたりすることができる。アラート表示文字設定欄２３４には、アラートとして表示させる文字を入力することができる。
【００８９】
また、この質問編集画面には、「キャンセル」のボタン２１７と「ＯＫ」のボタン２１８とが設けられている。ここで、「ＯＫ」のボタン２１８を操作すると、入力結果が反映され、図１６（Ｂ）に示すように、問診票編集画面に遷移する。
【００９０】
図１６（Ｂ）に示す問診票編集画面には、質問編集画面（図１５（Ａ），（Ｂ）参照）で設定した内容が反映された状態で表示される。また、アラートの設定が行われた場合には、アラートマーク１６３が表示される。ここで、次の小項目の質問がある場合には、次の小項目設定欄２０２を操作すればよい。また、次の大項目の質問がある場合には、次の大項目設定欄２０１を操作すればよい。また、設問回答確認画面には、「登録」のボタン２０５が設けられている。この「登録」のボタン２０５を操作すると、問診票編集画面の設定内容が登録される。
【００９１】
一方、図１３（Ａ）に示す編集メニュー画面において、「分岐型作成」のボタン１９２を操作すると、分岐型編集モードとなり、通常型編集モードと同様に、問診票編集画面（図１３（Ｂ）参照）に遷移する。この問診票編集画面において、大項目設定欄２０１を操作すると、図１７（Ａ）に示すように、問診票編集画面に遷移する。この問診票編集画面において、小項目設定欄２０２を操作すると、図１７（Ｂ）に示すように、質問編集画面に遷移する。
【００９２】
図１７（Ｂ）に示す質問編集画面には、通常型編集モードの質問編集画面（図１４（Ｂ）参照）と同様に、「質問」のタグ２１５と「アラート」のタグ２１６とが設けられているが、この他に、「分岐」のタグ２４１が設けられている。この「分岐」のタグ２４１を操作すると、図１８（Ａ）に示すように、質問編集画面に分岐設定部２５１が表示される。
【００９３】
この分岐設定部２５１には、回答設定欄２５２と分岐条件設定欄２５３と分岐先設定欄２５４とが設けられている。回答設定欄２５２には、回答事項設定部２１３（図１７（Ｂ）参照）で設定した内容が表示される。分岐条件設定欄２５３には、分岐先に進む条件を設定することができる。分岐先設定欄２５４には、分岐先となる質問の番号を設定することができる。
【００９４】
また、この質問編集画面では、「アラート」のタグ２１６を操作すると、図１８（Ｂ）に示すように、質問編集画面にアラート設定部２３１が表示される。このアラート設定部２３１は、通常型編集モードの質問編集画面（図１６（Ａ）参照）と同様である。
【００９５】
また、この質問編集画面には、「キャンセル」のボタン２１７と「ＯＫ」のボタン２１８とが設けられている。ここで、「ＯＫ」のボタン２１８を操作すると、入力結果が反映され、図１９に示すように、問診票編集画面に遷移する。
【００９６】
図１９に示す問診票編集画面は、質問編集画面（図１７（Ｂ）、図１８（Ａ），（Ｂ）参照）で設定した内容が反映された状態で表示される。特に、小項目設定欄２０２では、各回答に設定された分岐先の質問番号が表示される。また、アラートの設定が行われた場合には、アラートマーク１６３が表示される。
【００９７】
次に、管理者端末３で問診票に付加される人体図を編集する際に表示される画面について説明する。図２０は、管理者端末３で人体図を編集する際に表示される画面の遷移状況を示す説明図である。図２１、図２２、図２３は、管理者端末３で人体図を編集する際に表示される画面を示す説明図である。
【００９８】
管理者端末３では、情報共有サーバ１にアクセスしてログインの操作を行うと、まず、図２１（Ａ）に示す設定メニュー画面が表示される。この設定メニュー画面には、マスタ情報に関する選択メニューの１つとして、「人体図編集」のボタン２６１が設けられている。この「人体図編集」のボタン２６１を操作すると、図２１（Ｂ）に示すように、人体図選択画面に遷移する。
【００９９】
図２１（Ｂ）に示す人体図選択画面には、予め登録された人体図の一覧表２７１が表示される。この人体図の一覧表２７１には、人体図ごとに、人体図名、画像ファイル名、登録日、および画像サムネイルが一覧表示される。この人体図の一覧表２７１において、該当する人体図の欄（セル）を操作して人体図を選択すると、図２２（Ａ）に示すように、人体図確認画面に遷移する。
【０１００】
図２２（Ａ）に示す人体図確認画面には、選択した人体図１４１が表示される。また、この人体図確認画面には、人体図名設定部２８１と画像ファイル選択部２８２とが設けられている。人体図名設定部２８１では、編集する人体図に新規な名称を付与することができる。画像ファイル選択部２８２では、編集する人体図の画像ファイルを選択することができる。この人体図確認画面において、人体図１４１を操作すると、図２２（Ｂ）に示すように、人体図編集画面に遷移する。
【０１０１】
図２２（Ｂ）に示す人体図編集画面には、パーツ選択ボタン２９１が設けられている。このパーツ選択ボタン２９１では、テキストラベルおよびチェックボックスの各パーツを選択することができる。チェックボックスを選択すると、チェックボックス入力モードとなり、図２３（Ａ）に示すように、人体図上の適宜な位置にチェックボックス１４３を貼り付けることができる。また、テキストラベルを選択すると、テキストラベル入力モードとなり、人体図上の適宜な位置に文字１４２を貼り付けることができる。
【０１０２】
また、人体図確認画面や人体図編集画面には、人体図に貼り付けたパーツ（チェックボックス、文字）の一覧表２８３が表示される。この一覧表２８３には、パーツごとに、人体図上の位置を表す座標と、ラベル（文字）とが一覧表示される。
【０１０３】
また、人体図編集画面には、「キャンセル」のボタン２９５と「ＯＫ」のボタン２９６とが設けられている。ここで、「ＯＫ」のボタン２９６を操作すると、入力結果が反映され、図２３（Ｂ）に示すように、人体図確認画面に遷移する。
【０１０４】
図２３（Ｂ）に示す人体図確認画面は、人体図編集画面で編集した内容が反映された状態で表示される。この人体図確認画面には、「登録」のボタン２８５が設けられている。この「登録」のボタン２８５を操作すると、人体図確認画面で設定された内容が登録される。
【０１０５】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【０１０６】
本発明に係る問診情報共有システム及び問診情報共有方法は、各部門で個別に収集した問診情報の使い勝手を損なうことなく、各部門で収集した問診情報を各部門のスタッフ間で共有できるようにして、収集した問診情報を十分に活用することができる効果を有し、問診票の各質問に対する対象者の回答に関する問診情報を、部門が異なる複数のスタッフ間で共有させる問診情報共有システム及び問診情報共有方法などとして有用である。
【符号の説明】
【０１０７】
１  情報共有サーバ（サーバ装置）
２  ユーザ端末（端末装置）
３  管理者端末（端末装置）
【図１】
2020087173.tif 000003
【図２】
2020087173.tif 000004
【図３】
2020087173.tif 000005
【図４】
2020087173.tif 000006
【図５】
2020087173.tif 000007
【図６】
2020087173.tif 000008
【図７】
2020087173.tif 000009
【図８】
2020087173.tif 000010
【図９】
2020087173.tif 000011
【図１０】
2020087173.tif 000012
【図１１】
2020087173.tif 000013
【図１２】
2020087173.tif 000014
【図１３】
2020087173.tif 000015
【図１４】
2020087173.tif 000016
【図１５】
2020087173.tif 000017
【図１６】
2020087173.tif 000018
【図１７】
2020087173.tif 000019
【図１８】
2020087173.tif 000020
【図１９】
2020087173.tif 000021
【図２０】
2020087173.tif 000022
【図２１】
2020087173.tif 000023
【図２２】
2020087173.tif 000024
【図２３】
2020087173.tif 000025